(57)【特許請求の範囲】
【請求項１】
下端に石突き部（Ｅ１）を有する杖軸（Ａ１）と、下端に石突き部（Ｅ）を有し前記杖軸（Ａ１）を内装し前記杖軸（Ａ１）よりわずかに短い上下移動可能な筒状のパイプ（Ｂ）と、前記杖軸（Ａ１）又は前記パイプ（Ｂ）の上端に取り付けられたグリップ（Ｇ）とを備え、前記パイプ（Ｂ）が前記グリップに近い上下少なくとも２カ所の停止位置で停止する停止機構が設けられており、前記パイプ（Ｂ）が上側の停止位置で停止した場合には前記杖軸（Ａ１）の石突き部（Ｅ１）が前記パイプ（Ｂ）より突出し、前記パイプ（Ｂ）が下側の停止位置で停止した場合には前記杖軸（Ａ１）の石突き部（Ｅ１）が前記パイプ（Ｂ）の中に隠れるように構成されたことを特徴とする屋内・屋外兼用杖。
【請求項２】
前記停止機構は、前記杖軸（Ａ１）の側面に設けられたプッシュボタン（Ｏ）と、前記パイプ（Ｂ）の上側に設けられた止め孔（ａ１）及び下側に設けられた止め孔（ａ２）とから構成されることを特徴とする請求項１に記載の屋内・屋外兼用杖。
【請求項３】
前記杖軸（Ａ１）の外周面及び前記パイプ（Ｂ）の内周面の所定の範囲に渡ってお互いに嵌合するネジ（Ｈ）が切ってあることを特徴とする請求項２に記載の屋内・屋外兼用杖。
【請求項４】
前記停止機構は、前記杖軸（Ａ１）の側面に設けられた止めレバー（Ｌ）と、前記パイプ（Ｂ）の上側に設けられた止め孔（ｂ１）及び下側に設けられた止め孔（ｂ２）と、前記止め孔（ｂ１）と前記止め孔（ｂ２）との間に設けられ前記止めレバー（Ｌ）が移動できる溝（Ｍ）から構成されることを特徴とする請求項１に記載の屋内・屋外兼用杖。
【発明の詳細な説明】
【技術分野】
【０００１】
本発明は、屋内用と屋外用を簡単に切り替えて使用できる屋内・屋外兼用杖に関する。
【背景技術】
【０００２】
従来、杖としては、杖の長さを調節できる伸縮式杖、折り畳み式杖、傘付き杖、石突き部の部分を上下に切換える等がある。
【先行技術文献】
【特許文献】
【０００３】
【特許文献１】特開２００２−１１２８１５号公報
【特許文献２】特開２０２０−９２７７３号公報
【発明の概要】
【発明が解決しようとする課題】
【０００４】
上述の従来の杖の例では、主として屋外で使用するもので、屋内・屋外用の切換え機能を有する杖は数える程度で、使用によっては、屋外だけでなく屋内で杖を使用しなければならない時は、屋外で使用の杖をそのまま屋内で使うのには、衛生上や汚れなどで常識的な配慮から、遠慮せざる得ない課題があり、杖を付けずに不安定な身体であるにも関わらずに、屋内では杖の使用を遠慮しなければならなかった。
【０００５】
この発明は、上記の他に老人、障害者、病人なども歩行用に供する杖で、屋外の杖を屋内で使用するには、屈伸等をしなくとも、簡単に手元で杖軸の下端部の石突き部を相互に切換え可能な屋内・屋外兼用杖を提供する
【課題を解決するための手段】
【０００６】
本発明の屋内・屋外兼用杖は、下端に石突き部（E1）を有する杖軸（A1）と、下端に石突き部（E）を有し前記杖軸（A1）を囲み上下移動可能な筒状のパイプ（B）と、前記杖軸（A1）又は前記パイプ（B）の上端に取り付けられたグリップ（G）とを備え、前記パイプ（B）が上下少なくとも２カ所の停止位置で停止する停止機構が設けられており、前記パイプ（B）が上側の停止位置で停止した場合には前記杖軸（A1）の石突き部（E1）が前記パイプ（B）より突出し、前記パイプ（B）が下側の停止位置で停止した場合には前記杖軸（A1）の石突き部（E1）が前記パイプ（B）の中に隠れるように構成されたことを特徴とする。
【発明の効果】
【０００７】
屋内・屋外兼用杖は身体を屈伸等しなくても手元で、相互に切り換えられる上に、衛生上や汚れなどで常識的な配慮に気を配らなくても、屋内で、屋外同様の使用が叶い、他人に遠慮することなく移動する事が出来る。引篭りなど内向的な心の負担も減らす事が期待出来るし、移動の悩み等の解決策も期待できる又、シンプル構造でコストも抑えて機能がアップ出来る案件である。
【図面の簡単な説明】
【０００８】
【図１】本発明の実施形態１における屋内・屋外兼用杖の斜視図である。
【図２】本発明の実施形態１における屋内・屋外兼用杖の止め具の正面図である。
【図３】本発明の実施形態２における屋内・屋外兼用杖の斜視図である。
【発明を実施するための形態】
【０００９】
（実施形態１）
図１（a）、（b）は歩行用に供する杖である。本発明の実施形態１の杖は、杖軸A1と杖軸A1の上端に取り付けられた杖を握るためのグリップGからなる杖本体Ａと、杖軸A１を囲み上下に移動可能な筒状のパイプBとからなる。杖軸Ａ１の下端には床等に接する石突き部Ｅ１があり、パイプＢの下端には地面等に接する石突き部Ｅがある。例えば、屋内で杖を使用する場合には、図１（ａ）に示すようにパイプＢを下に移動させて杖軸Ａ１の石突き部Ｅ１をパイプＢの中に隠し、パイプＢの石突き部Ｅを床などに接するようにして使用する。反対に屋外で杖を使用する場合には、図１（ｂ）に示すようにパイプＢを上に移動させて杖軸Ａ１の石突き部Ｅ１をパイプＢの外に出し、杖軸Ａ１の石突き部Ｅ１を地面に接するようにして使用する。このように、本発明の杖は杖軸Ａ１の石突き部Ｅ１とパイプＢの石突き部Ｅを屋内と屋外で相互に切換えて使用できる屋内・屋外兼用杖である。
【００１０】
次にパイプＢを杖軸Ａ１の上下に移動させて上側及び下側の２カ所の位置で停止させる３つの具体的な停止機構について説明する。第１の停止機構について説明する。図２（ａ）及び（ｂ）に示すように、パイプＢには上側に止め孔ａ１が設けられ、下側に止め孔ａ２が設けられている。杖軸Ａ１の側面にはプッシュボタンＯが設けられている。プッシュボタンOは押せばボタンが引っ込み、離せばボタンが飛び出て元に戻る構造のものでもよいし、押せばボタンが引っ込んだままとなり、再度押すことによって元に戻るような構造のものでもよい。屋内で杖を使用する場合には、プッシュボタンＯが止め孔ａ１の位置に来るまでパイプBを下側に移動させて停止させる（下側の停止位置）。屋外で杖を使用する場合には、プッシュボタンＯを押し込みプッシュボタンＯが止め孔ａ２の位置に来るまでパイプBを上側に移動させて停止させる（上側の停止位置）。
【００１１】
次に第２の停止機構について説明する。図２（ｃ）に示すように、杖軸Ａ１の側面にはパイプBを停止させる止めレバーＬが設けられている。パイプＢには上側に止め孔b１が設けられ、下側に止め孔b２が設けられており、止め孔ｂ１と止め孔ｂ２の間には止めレバ―Ｌが上下に移動するための溝Ｍが設けられている。溝Ｍは止め孔ｂ１、ｂ２の中心から右側にずらして設けられており、止めレバーＬを止め孔ｂ１または止め孔ｂ２の位置まで移動した後に左に動かして停止できるようになっている。例えば、屋外で杖を使用する場合には、パイプＢを上に移動させて止め孔ｂ２の位置で止めレバーＬを使用して停止させる。
【００１２】
次に第３の停止機構について説明する。図２（ｄ）に示すように、杖軸Ａ１の側面にはプッシュボタンＯが設けられ、パイプＢには上側に止め孔ｃ１が設けられ、下側に止め孔ｃ２が設けられている。これらの構造は第１の停止機構と同様である。第１の停止機構と異なる点はパイプＢを移動さす為にネジHを設けている点である。ネジＨの構造は、杖軸A１の外周面の所定の範囲に渡ってネジｈ１を切り、パイプBの内周面にも所定の範囲に渡ってネジｈ２が切られている。ネジを使用するのは、杖軸A１とパイプBの隙間を作らない密接さと、急速な上下移動の防止策を兼ね備えている構造を成すためである。ネジの位置は、上記の機能が備われば任意であり、作業のし易さとコストを考慮して決める。
【００１３】
（実施形態２）
図３（ａ）、（ｂ）は本発明の実施形態２の杖を示す図である。実施形態２の杖が実施形態１の杖と異なる点は、グリップＧの取り付け構造である。実施形態１の杖では、グリップＧが内側の杖軸Ａ１の上端に取り付けられているのに対して、実施形態２の杖ではグリップＧは外側のパイプＢの上端に取り付けられている。杖軸Ａ１及びパイプＢの構造やパイプＢの停止機構などはすべて実施形態１と同様であるので詳細な説明は省略する。実施形態２の構成にすることにより、実施形態１の杖と比較して実施形態２の杖ではグリップGは外側のパイプBの上端に取り付けられている、外側のパイプBの中に杖軸A1を内装したことで、よりコンパクトで軽量化と美的感性の他に密接性などのメリットがある。
【符号の説明】
【００１４】
A   杖本体
A１  杖軸
B  パイプ
E、E１  石突き部
G  グリップ
H、ｈ１、ｈ２ ネジ
M  溝
L  止めレバー
O  プッシュボタン
ａ１、ｂ１、ｃ１、ａ２、ｂ２、ｃ２、e １、e２  止め孔
【要約】      （修正有）【課題】屋外の杖を屋内で使用するには、屈伸等をしなくとも、簡単に手元で杖軸の下端部の石突き部を相互に切換え可能な屋内・屋外兼用杖を提供する。【解決手段】屋内・屋外兼用杖は、下端に石突き部Ｅ１を有する杖軸Ａ１と、下端に石突き部Eを有し前記杖軸を囲み上下移動可能な筒状のパイプＢと、前記杖軸又は前記パイプの上端に取り付けられたグリップＧとを備え、前記パイプが上下少なくとも２カ所の停止位置で停止する停止機構が設けられており、前記パイプが上側の停止位置で停止した場合には前記杖軸の石突き部が前記パイプより突出し、前記パイプが下側の停止位置で停止した場合には前記杖軸の石突き部が前記パイプの中に隠れるように構成されている。【選択図】図１【図１】
0006983346.tif 000002
【図２】
0006983346.tif 000003
【図３】
0006983346.tif 000004